(57)【要約】【課題】  搬送路間にまたがって残った紙葉類を移動させることなく、取り除くことが可能な操作性の良い搬送機構を提供する。【解決手段】  搬送路１を開閉するための回転支点と、搬送路２を開閉するための回転支点を同一にし、搬送路２は紙幣の抵抗で閉状態となるばね等のロックを設ける。装填回収庫の脱着時は、搬送路１は開状態、搬送路２も開状態となる。となりの搬送路と本搬送機構の両方の搬送路にまたがって紙幣がある場合、搬送路１を開けた時に紙幣の抵抗で搬送路２が閉の第３状態となり、除去可能となる。【選択図】図６
2007026014.tif 000002
【特許請求の範囲】
【請求項１】
紙幣を入出金する紙幣入出金装置において、紙幣の入出金を行う入出金口と、紙幣を鑑別する鑑別部と、紙幣を収納する複数の収納庫と、１対のガイドによって紙幣を搬送する搬送路とを有し、
前記搬送路は、第１ガイドと第２ガイドとを１対の状態で開閉可能、且つ、前記第２ガイドを閉じた状態で前記第１ガイドのみを開閉可能な構造とし、
前記第１及び第２ガイドとを閉じた状態でベルト又はローラによって紙幣を搬送することを特徴とする紙幣入出金装置。
【請求項２】
請求項１記載の紙幣入出金装置において、前記搬送路の上流又は下流に配置された他の搬送路を有し、前記搬送路と前記他の搬送路との間に紙幣が存在するとき、前記第２ガイドを閉じた状態で前記第１ガイドのみが開くことを特徴とする紙幣入出金装置。
【請求項３】
請求項２記載の紙幣入出金装置において、前記第１ガイドと前記第２ガイドとを保持するばねを有し、前記搬送路と前記他の搬送路との間に紙幣が存在するとき、前記ばねによるロックが解除されることを特徴とする紙幣入出金装置。
【請求項４】
請求項１乃至３の何れかの項記載の紙幣入出金装置において、前記第１ガイドと前記第２ガイドとは同一支点を軸に回転可能であることを特徴とする紙幣入出金装置。
【請求項５】
請求項１乃至４の何れかの項記載の紙幣入出金装置において、前記複数の収納庫の上段に位置し、前記収納庫への紙幣の装填又は前記収納庫からの紙幣の回収を行う装填回収庫を有し、
前記搬送路は、前記装填回収庫を引き出す側に配置されたことを特徴とする紙幣入出金装置。
【請求項６】
紙幣を取り扱う紙幣入出金装置において、紙幣の入出金を行う入出金口と、紙幣を鑑別する鑑別部と、紙幣を金種別に収納する金種別収納庫と、紙幣を搬送する搬送路とを有し、
前記搬送路は、開閉可能な第２フレームと、前記第２フレームに対して開閉可能な一体開閉搬送路とを有し、
前記一体開閉搬送路は、第１フレームと、前記第１フレームに取り付けられた１対のガイドとを有し、
前記第２フレームと前記一体開閉搬送路とを一体として開閉可能、且つ、前記第２フレームを閉じた状態で前記一体開閉搬送路のみを開閉可能な構造としたことを特徴とする紙幣入出金装置。
【請求項７】
請求項６記載の紙幣入出金装置において、前記一体開閉搬送路は紙幣をガイドする第１のガイドと、第２のガイドとを有し、前記第１ガイドと前記第２ガイドとを開閉する軸を、前記第２フレームと前記一体開閉搬送路とを開閉する軸とは異なる位置に配置したことを特徴とする紙幣入出金装置。
【請求項８】
請求項６記載の紙幣入出金装置において、前記一体開閉搬送路は、紙幣をガイドする第１ガイドと、第２ガイドとを有し、前記第１ガイド及び第２ガイドは、前記一体開閉搬送路内の紙幣搬送方向に沿って開閉することを特徴とする紙幣入出金装置。
【請求項９】
請求項６記載の紙幣入出金装置において、前記第２フレーム及び前記一体開閉搬送路は、前記搬送路内を搬送される紙幣の搬送方向に対して垂直方向で開閉することを特徴とする紙幣入出金装置。
【発明の詳細な説明】
【技術分野】
【０００１】
本発明は、紙幣入出金装置に係り、装置内に残留した紙幣の除去、操作性向上に有効な技術に関する。
【背景技術】
【０００２】
従来の紙幣入出金装置としては、特許文献１記載のように、紙幣の投入および受取を行う入出金口と、紙幣を判別する判別部と、入金紙幣を収納し、次の出金に備える金種別収納放出庫と、金種別収納庫に紙幣を一括して装填または該金種別収納庫に収納されている紙幣を一括して回収する装填回収庫と、上記判別部により金種の読み取りが不可と判定された紙幣や搬送状態が搬送不可と判定された紙幣等を排除、集積するリジェクト庫と、入金動作時時の取引中の紙幣および出金動作時のリジェクト紙幣等を一時収納しておく一時スタッカと、入出金口、判別部、金種別収納放出庫、リジェクト庫および一時スタッカを接続する紙幣搬送路を備え、上記収納放出庫、リジェクト庫及び装填回収庫が横置構造を有し、それらが上下積層方向に配置された紙幣入出金装置が開示されており、収納放出庫、リジェクト庫、及び装填回収庫の前面に収納扉を兼ねた搬送路を有している。
【０００３】
その搬送路は、紙幣を挟持し搬送させるために一方に搬送ベルト、ガイド（搬送路１）、対向側に搬送ローラ、ガイドを配置し（搬送路２）、搬送路１に対し搬送路２が開閉して紙幣の挟持を開放し、除去可能な構成としている。また、搬送路２はばねにより搬送路1に対し、常時閉状態であり、装填回収庫を取り出すときは、搬送路１、２を開いて行う。搬送路１を開閉するための回転支点と搬送路２を開閉するための回転支点は直角方向に配置されている。
【０００４】
【特許文献１】特開２００３−２０８６５４号公報
【発明の開示】
【発明が解決しようとする課題】
【０００５】
上記特許文献１に示す紙幣入出金装置においては、装填回収庫前面の収納扉を兼ねた搬送路内にジャム等で紙幣が残留した場合、搬送路１を開けた後、搬送路２を開けて紙幣を取り除かなければならないが、となりの搬送路と本搬送路の両方の搬送路にまたがって紙幣が存在すると、搬送路１が紙幣の抵抗により開かない場合があり、紙幣をどちらかの搬送路内に移動させた後、搬送路１，２を開け、さらに搬送路２を開けて取り除く必要がある
【課題を解決するための手段】
【０００６】
上記課題を解決するために、本発明の紙幣入出金装置では、搬送路１を開閉するための回転支点と、搬送路２を開閉するための回転支点を同一にし、搬送路２は紙幣の抵抗で搬送路１に対し開状態となるばね等のロックを設ける。装填回収庫の脱着時は、搬送路１は開状態、搬送路２も開状態となる。となりの搬送路と本搬送路の両方の搬送路にまたがって紙幣がある場合、搬送路１を開けた時に紙幣の抵抗で搬送路２が閉の状態となり、除去可能となる。
【発明の効果】
【０００７】
本発明では、第１搬送路と本搬送路（第２）の両方の搬送路にまたがって残った紙幣を移動させることなく取り除くことが可能になり、操作性が向上する。
【発明を実施するための最良の形態】
【０００８】
以下、本発明の搬送機構の実施形態について図面を用いて説明する。
【実施例１】
【０００９】
図１は紙幣入出金装置を実装する現金自動取引装置（ＡＴＭ）の外観を示す。現金自動取引装置１０１の構成要素には、利用者の取引カードや取引明細票を処理するカード／明細票処理機構１０２と、通帳を処理する通帳処理機構１０３と、装置を覆う筐体１０４と、取引に必要な情報を表示および入力する利用者操作部（単に操作部とも言う）１０５と、紙幣を入出金する紙幣入出金装置１がある。
【００１０】
図２は、現金自動取引装置１０１の制御関係を示すブロック図である。カード／明細票処理機構１０２、通帳処理機構１０３、利用者操作部１０５および紙幣入出金装置１はバス１１０を介して本体制御部１０６と接続しており、本体制御部１０６の制御指令により必要な動作を行う。上記の他に、装置に外部ユニットを接続するためのインタフェース部１０７と、係員が操作し、種々の情報の入力及び出力を実行する係員操作部１０８と、外部記憶装置１０９ともバス１１０で接続しており、必要なデータのやり取りを行う。上記に示す各機構、構成要素は、電源部１１１により電力を供給される。
【００１１】
図３は現金自動取引装置１０１に実装される紙幣入出金装置１の構成を示す図であり、図５は収納放出庫５などの構造も含めた制御機構を示す図である。紙幣入出金装置１は、紙幣を出し入れする入出金口２と、紙幣の金種や搬送状態を判別する紙幣判別部（単に判別部とも言う）３と、入金した紙幣を取引成立までの間一時的に収納する一時スタッカ（一時保管部）４と、入出金口２から入金された紙幣を収納する、又は出金取引時に紙幣を放出する金種別の収納放出庫（金種別収納庫、収納部とも言う）５ａ、５ｂ、５ｃ（本実施例では３金種）とを有する。また、金種別の収納放出庫５に各金種紙幣を装填する、または収納放出庫５から各金種紙幣を回収する装填回収庫（装填庫又は回収庫）６と、紙幣判別部３によって金種の読み取りが不可と判定された紙幣や搬送状態が搬送不可と判定された紙幣等を集積するリジェクト庫７と、紙幣入出金装置１の各構成要素を結び紙幣を搬送する搬送路８がある。更に、金種と紙幣サイズとの対応関係等を記憶した記憶部データベース９（紙幣判別部３の一機能として含むものでも良い）、本体制御部１０６とバス１１０を介して接続され、本体制御部１０６からの指令および紙幣入出金装置１の状態検出に応じて紙幣入出金装置１の制御を行い、紙幣入出金装置１の状態に関する情報を必要に応じて本体制御部に送る制御部１０を有する。なお、本体制御部１０６、制御部１０ともＣＰＵ、メモリ等から構成され、合わせて制御部とも言う。
【００１２】
図３の紙幣入出金装置１の内部レイアウトについて説明する。入出金装置１は紙幣を高速に搬送して大量の紙幣を取り扱うことから紙幣の長手を基準に搬送する。紙幣の長手方向が紙幣の搬送方向に対して垂直になるように搬送することである。これにより搬送路から収納庫５、装填回収庫６などの各収納ボックスに収納する（集積する）とき、各収納ボックスから搬送路へ紙幣を放出する（繰り出す）ときの紙幣の姿勢も、その収納方向又は放出方向に対して紙幣の長手方向が垂直になるようにしている。言い換えると、紙幣の短手方向で搬送することである。
【００１３】
ここで紙幣入出金装置１の取り扱う紙幣は日本国内のみならず、ユーロ紙幣やドル紙幣などの海外紙幣も対象にしている。日本国内の紙幣は一万円券、五千円券、千円券（２００４年発行予定の新札含む）などあるが紙幣の寸法、特に短手寸法が略７６ｍｍに統一されているのでボックスからの紙幣繰り出し動作などは問題がない。しかし、ユーロ紙幣は７金種あり、最小の５ユーロ紙幣の寸法は６２×１２０ｍｍ、最大の５００ユーロ紙幣は８２×１６０ｍｍあり、短手寸法で２０ｍｍの差がある。
【００１４】
このようなことから海外紙幣など、複数の金種を混合して収納する装填回収庫６は図示するように紙幣を立位姿勢で収納する。つまり寸法の小さい紙幣も大きい紙幣もその紙幣の長手が収納部の底面に整然と並べることができ、それら紙幣の繰り出し、集積動作も安定したものとなる。一方、収納庫５のように紙幣を水平姿勢で収納するタイプでは寸法が大きく異なる紙幣を繰り出すために紙幣の長手部分を揃えるための特別な機構が必要となる。そのため機構が複雑な収納庫５となってしまう問題がある。従って、複数の金種の紙幣を同じ収納庫に収納する場合は装填回収庫６のように立位姿勢で収納可能な収納庫が望ましく、一金種の紙幣なら寸法も同じことから収納庫５のように水平姿勢で収納する収納庫が望ましい。
【００１５】
そして、この金種別の収納放出庫５は紙幣入出金装置１の前面から見て奥行方向に並列に、並べて配置している。このように、収納放出庫５を装置前後方向に並べているので、例えば図３の３金種扱える装置を４、５金種というように、取扱金種が増加するにつれ、奥行方向に金種別の収納放出庫を増設できる。装置の上下方向に収納庫を増設しないため、装置の高さが上方に向かって高くなるとの問題もない。なお、この収納放出庫５は紙幣を水平姿勢で収納することからその繰り出し・集積機構は収納庫の上部に取り付けられ、紙幣の繰り出し、集積処理が実行される。
【００１６】
また、リジェクト庫７は上述したとおり、紙幣判別部３による金種、真偽鑑別等により入金又は出金に適さない紙幣を収納する。このリジェクト紙幣は装置１より取り出す必要があることから、この紙幣入出金装置１の保守及び運用形態から、図３に示すように収納放出庫５ａ、５ｂ，５ｃの前面側に実装する。また装置の上下方向で双方向搬送する搬送路８（符号８ａ部分）の下側に実装する。このリジェクト庫７は収納部が２個含まれ、装置内でリジェクトされた紙幣と取り忘れ紙幣とを分ける形態が望ましい。なお、リジェクト庫７には紙幣を集積する機構だけで繰り出す必要はないことから紙幣は水平姿勢、立位姿勢のどちらで収納しても良い。しかし、図示するように一方を水平姿勢で収納し他方を立位姿勢で収納することでリジェクト庫７自身の小型化が図れる。
【００１７】
紙幣入出金装置１の上部ユニットは入出金口２と判別部３と一時保管庫４とを配置し、下部ユニットには紙幣を収納する各収納庫を配置している。よって下部ユニットのみを堅固な金庫筐体で覆うことも可能となる。そして下部ユニットには、装填回収庫６を収納放出庫５ａ，５ｂ，５ｃとリジェクト庫７の上部に配置している。後述するが装填回収庫６から繰り出された紙幣は一時保管庫４に一時的に保管され、金種に応じて各収納放出庫５ａ，５ｂ，５ｃに振り分けられる。その装填時にリジェクトされる紙幣はリジェクト庫７ではなく、装填回収庫６内の装填リジェクト庫（収納部）１２に収納される。この収納部１２は装填されている紙幣と分ける必要があるので、図示のように装置１の後面側に実装している。なお、装填時のリジェクト紙幣は一時保管庫４から判別部３を通過せずに収納部１２に直接搬送されることから、一時保管庫４と最も近い図示位置が良い。つまり、上部ユニットと、複数の収納庫（５ａ、５ｂ等）との間に装填回収庫６を実装する。
【００１８】
搬送路８ａは、紙幣を上下方向で、双方方向に搬送し、装填回収庫６から繰り出される紙幣又は装填回収庫６に集積する紙幣を搬送するためにも、装填回収庫６に隣接して、装置前側に実装される。また、収納放出庫５ａ、５ｂ，５ｃやリジェクト庫７で構成される紙幣収納部（下部ユニット）と装填回収庫６より上の部位（上部ユニット）と一本で接続している構造となっている。
【００１９】
搬送路１４は、紙幣を水平方向で双方向に搬送し、収納放出庫５ａ，５ｂ，５ｃから繰り出される紙幣又は、収納放出庫５ａ，５ｂ，５ｃに集積する紙幣を搬送するため、また、リジェクト庫７に収納する紙幣を搬送するため収納放出庫５ａ，５ｂ，５ｃ、リジェクト庫７の上方に配置され、搬送路８ａと接続する。
【００２０】
図４を用いて装填回収庫６及びリジェクト庫７の取り出しについて述べる。
図４はリジェクト庫７が収納放出庫５ａ，５ｂ，５ｃの前面側に実装しているので（図３の内部レイアウト参照）、前後のＸ方向に着脱する。また、装填回収庫６の前面側搬送路８の一部（８ａ）はＹ方向に開閉が可能となっており、その開閉部から装填回収庫６が前方向Ｗに取り出し、後方向Ｗにセット可能となっている。従って係員又は保守員が紙幣を装填、補充、回収作業をする場合でも、搬送路８ａのみを開閉することで装填回収庫８を、装置に対して水平方向で着脱が可能となる。なお、装置運用形態によっては装置後面に開閉可能な扉を設け、後面側から装填回収庫６を取り出してよい。収納放出庫５ａ，５ｂ，５ｃは紙幣入出金装置１から取り外すことはなく、扉１３を開閉することで、運用／保守を行う。
【００２１】
搬送路１４で、紙幣ジャム等が発生した場合、装填回収庫を取出した後の空間内で搬送路１４を開閉し、ジャム除去を行うことで、保守エリアの省スペース化が図れる。
【００２２】
以上、紙幣入出金装置（紙幣取扱装置）１の内部レイアウト、保守時の構成を主に説明したが、次に８ａにて示した搬送機構について図６を用いて説明する。
【００２３】
搬送路８ａは、主に１対のガイドにて構成され、ガイド同士で紙幣を挟み、ベルト、ローラにて搬送する。詳しく説明すると、ベルト２０１、ローラ２０２、ガイド２０３と、もう一方の対向側にローラ２０４、２０４−１、ガイド２０５を有している。また、ガイド２０５には、装填回収庫と紙幣収納部（下部ユニット）に紙幣を振り分けるために、可動ゲート２０６、可動ゲート２０６を動作させる電磁ソレノイド２０７及びリンク２０８を有する。ベルト２０１、ローラ２０２、ガイド２０３は回転支点２０９を持ったフレーム２１０に取付き矢印１１方向に開閉可能とする（搬送路１）。一方、ローラ２０４、２０４−１、ガイド２０５、可動ゲート２０６、電磁ソレノイド２０７、リンク２０８は、フレーム２１０と同軸の回転支点２０９を持ったフレーム２１２に取り付き、矢印１１方向に開閉可能とする（搬送路２）。なお、この開閉方向１１は図４の搬送路８ａの開閉方向Ｙと同方向を示している。紙幣は搬送路８ａ内を上下方向で搬送されることから（図３参照）、搬送路１、２は紙幣搬送方向に対して垂直方向で開閉可能である、とも言える。
【００２４】
図７はガイド２０３とガイド２０５とを閉じた状態を示し、ガイド２０５側から見た図示である。フレーム２１０は板ばね２１３を有し、フレーム２１２を紙幣を挟持可能な状態、すなわち搬送路１と搬送路２が紙幣を搬送可能な状態でロックしている。このロックは後述するが、ある荷重によりロック状態が解除され搬送路２（ガイド２０５）に対し搬送路１（ガイド２０３）が開状態となる。しかし、通常はロック状態のため搬送路１を開くとそれと共に搬送路２も開状態となる。
【００２５】
搬送機構８ａは、搬送路１が閉、搬送路２が閉の第一状態、搬送路１が開、搬送路２が開の第二状態、搬送路１が開、搬送路２が閉の第三状態という３つの状態がある。
【００２６】
搬送路１が閉、搬送路２が閉の第一状態は、紙幣入出金装置の運用（紙幣搬送）状態であり、上部ユニットと、収納放出庫、リジェクト庫の下部ユニットをつなぐ搬送路として、また、装填回収庫から繰り出される紙幣、装填回収庫に集積する紙幣を可動ゲート６を動作させることにより、本搬送路内で振り分けている。
【００２７】
搬送路１が開、搬送路２が開の第２状態は装填回収庫６を着脱する際の状態である（図４参照）。本搬送路は紙幣を搬送する機構のほかに装填回収庫の収納扉も兼ねているため、装填回収庫を取り出す際は、収納扉を開ける。すなわち搬送路１及び搬送路２とが共に開状態となる。図７にて前述したが、板ばね２１３により搬送路１を開くと搬送路２も開状態になる。なお、搬送路１には図示しない収納扉としての取手がついている。また、装填回収庫６の下部に位置する搬送路１４（図４参照）で紙幣ジャムが発生した場合も、搬送路１，２を開け、装填回収庫６を取り出した後、搬送路１４を開けてジャム除去を行う。
【００２８】
搬送路１が開、搬送路２が閉の第３状態は、板ばね２１３でのロック状態が解除された状態である。紙幣入出金装置１において、紙幣の搬送不具合等から搬送路内においてジャム紙幣が発生する場合がある。特に、開閉搬送路の機能を持つ本搬送路８ａと図４に示す搬送路１４または、上部ユニットの搬送路間にまたがってジャム紙幣が発生した場合について説明する。通常、搬送路と搬送路との間にジャム紙幣があり、そのジャム紙幣を取り除くために一方の搬送路を開くと、紙幣が破れてしまう問題がある。そこで、開閉可能な搬送路１を開けるとき、前述した板ばね２１３のロックが紙幣の抵抗により解除され、搬送路２は閉状態を維持した状態で、搬送路１のみ開状態となる構成を採用することにより、紙幣にキズ等をつけることなく、また破ることもなく、そのジャム紙幣を取り除くことが可能となる。搬送路２のロック解除力は、強すぎるとロックが外れず、紙幣にキズをつけたり破ってしまい、また弱すぎると装填回収庫の着脱時に搬送路１の取手を持って搬送路１を開けたとき、ロックが解除され搬送路２が閉のままになったりする可能性もあることから、このロック解除力はフレーム２１０のＡ部付近で３００ｇｆ程度に設定するのが良い。
【実施例２】
【００２９】
次に実施例１を更に改良した紙幣入出金装置に関して説明する。前述の実施例１は、例えば、本搬送路８ａと搬送路１４にまたがって第一の紙幣があり、かつ本搬送路内に第二の紙幣がある場合、板ばね２１３のロックが第一の紙幣の抵抗によって解除される。従って、搬送路１が開、搬送路２が閉状態となり、本搬送路内にある第二の紙幣はベルト、ローラによる挟持がなくなるため搬送路から落下する可能性がある。
【００３０】
図８，９は第２実施例おける搬送路、ガイドを中心とした図を示している。なお、実施例と共通の部位については同符号を付している。最初に、上述の搬送路２は分割して図示するように開閉可能に構成され、分割している一方のフレーム２１２（第２）には可動ゲート２０６、電磁ソレノイド２０７を有している。そして分割している他方のガイド２０５は実施例１にて説明したガイドと共に、支点２０９を中心にフレーム２１２に対して一体となって開閉する構成となっている。この図９において紙幣は上下方向に搬送されることから、言い換えれば、紙幣の搬送方向に沿って、第１ガイド（２０３）と第２ガイド（２０５）とが開閉する構造を採用している。この搬送路を説明の都合上、一体開閉搬送路（図８の右側の搬送路）として以下説明する。そしてこの一体開閉搬送路はフレーム２１０（第１）に取り付けられ、フレーム２１０とフレーム２１２とは、図７にて説明した板ばね２１３を有している。従って、通常、搬送路８ａを開くとき、即ち、一体開閉搬送路を開くときは、ロック状態を維持した状態でフレーム２１２も開くことができる。一方、搬送路８ａと上下何れか一方の搬送路と間に紙幣が残っている場合、板ばね２１３のロックが解除され、よって、フレーム２１２は装置側に残り（閉状態）、一体開閉搬送路が開くことができる。
【００３１】
図９は図８の右側にある一体開閉搬送路の断面図を示しており、一体開閉搬送路の上側が開いた状態を図示する。つまり、ガイド２０５はその下側に配置された軸２１０（図８の軸２０９とは異なった位置）を支点として、ガイド２０３に対して上部分が開閉する（矢印２１６）構成をとっている。ガイド２０５には上述と同様にローラ２０４、２０４−１、ゲート２０６は配置される。またガイド２０３側にはローラ２０２、ベルト２１０を有しており、フレーム２１０に取り付けられている。そして、ガイド２０５とフレーム２１０との間には上述してきた板ばねに相当するばね２１５が取り付けられている。従って、通常、搬送路８ａを開くときはガイド２０３とガイド２０５とがロックされた状態で図８のように一体となって開く。しかし、図９に示した一体開閉搬送路とその上部にある搬送路との間にまたがって第１紙幣がある場合は、この第１紙幣の抵抗によってばね２１５によるロックが解除され、図示するようにガイド２０５が軸２１６を支点としてガイド２０３に対して上側部分が開く。従って、第１紙幣にキズ等をつけることなく除去可能となる。また搬送路８ａ内に第２紙幣があった場合でもガイド２０３のローラ２０２、ベルト２０１と、ガイド２０５のローラ２０４等で挟持可能なため（図９の下側部分）、第２紙幣の落下を防止することができる。
【図面の簡単な説明】
【００３２】
【図１】現金自動取引装置の一実施例の外観を示す斜視図である。
【図２】現金自動取引装置の一実施例の制御機構を示す図である。
【図３】紙幣入出金装置の構成を示す図である。
【図４】紙幣入出金装置の構成を示す図である。
【図５】紙幣入出金装置の制御機構を示す図である。
【図６】本実施例１の構成を示す図である。
【図７】本実施例１の構成を示す図である。
【図８】本実施例２の構成を示す図である。
【図９】本実施例２の構成を示す図である。
【符号の説明】
【００３３】
１…紙幣入出金装置、２…入出金口、３…紙幣判別部、４…一時スタッカ、５ａ、５ｂ、５ｃ…収納放出庫、６…装填回収庫、７…リジェクト庫、８、８ａ…搬送路、９…記憶部データベース、１０…制御部、１１…取り忘れ回収庫、１２…装填リジェクト庫、１３…扉、１０１…現金自動取引装置、１０２…カード／明細票処理機構、１０３…通帳処理機構、１０４…筐体、１０５…利用者操作部、１０６…本体制御部、１０７…インタフェース部、１０８…係員操作部、１０９…外部記憶装置、１１０…バス、１１１…電源部
２０１…ベルト、２０２…ローラ、２０３…ガイド、２０４…ローラ、２０４−１…ローラ、２０５…ガイド、２０６…可動ゲート、２０７…電磁ソレノイド、２０８…リンク、２０９…回転支点、２１０…フレーム、２１１…矢印、２１２…フレーム、２１３…板ばね、２１４…矢印、２１５…ばね、２１６…回転支点
【図１】
2007026014.tif 000003
【図２】
2007026014.tif 000004
【図３】
2007026014.tif 000005
【図４】
2007026014.tif 000006
【図５】
2007026014.tif 000007
【図６】
2007026014.tif 000008
【図７】
2007026014.tif 000009
【図８】
2007026014.tif 000010
【図９】
2007026014.tif 000011